(57)【要約】【課題】中継装置が故障した場合であっても他の中継装置でバックアップが可能な信頼性に優れた道路管理システムを得る。【解決手段】複数の電気室ネットワーク１０５ａ，１０５ｂおよび道路沿いネットワーク１０２を接続する複数の中継装置１０３ａ，１０３ｂに接続許可アドレスと入出力指令を定義した接続定義テーブル１０９ａ，１０９ｂをそれぞれ具備し、中継装置１０３ａ，１０３ｂのいずれかにおける障害時に障害が発生した中継装置の前記接続定義テーブルを他の中継装置に移すことで障害が発生した中継装置が管轄する監視制御を他の中継装置で代行するようにした。【選択図】        図１
2004171418.tif 000002
【特許請求の範囲】
【請求項１】
道路沿いに設けられた複数の設備拠点と、前記設備拠点にそれぞれ設けられ前記設備拠点の設備を監視制御するための複数の設備拠点ネットワークと、前記複数の設備拠点ネットワークを結ぶための道路沿いネットワークと、前記複数の設備拠点ネットワークおよび道路沿いネットワークを接続する複数の中継装置とを備え、前記複数の中継装置に接続許可アドレスと入出力指令を定義した接続定義テーブルをそれぞれ具備し、前記中継装置のいずれかにおける障害時に障害が発生した中継装置の前記接続定義テーブルを他の中継装置に移すことで障害が発生した中継装置が管轄する監視制御を他の中継装置で代行するようにしたことを特徴とする道路管理システム。
【請求項２】
道路沿いに設けられた複数の設備拠点と、前記設備拠点にそれぞれ設けられ前記設備拠点の設備を監視制御するための複数の設備拠点ネットワークと、前記複数の設備拠点ネットワークを結ぶための道路沿いネットワークと、前記複数の設備拠点ネットワークおよび道路沿いネットワークを接続する複数の中継装置とを備え、前記複数の設備拠点ネットワークを同期伝送路により同期接続するとともに、前記複数の中継装置に接続許可アドレスと入出力指令を定義した接続定義テーブルをそれぞれ具備し、前記中継装置のいずれかにおける障害時に障害が発生した中継装置の前記接続定義テーブルを他の中継装置に移すことで障害が発生した中継装置が管轄する監視制御を他の中継装置で代行するようにしたことを特徴とする道路管理システム。
【請求項３】
認証手段を有する移動端末手段を前記中継装置に接続許可アドレスとして登録することで、前記認証手段についての認証を保有する特定管理者のみ前記移動端末手段から前記設備拠点に係る監視制御を可能としたことを特徴とする請求項１または請求項２に記載の道路管理システム。
【請求項４】
前記中継装置に中継装置が健全であることを示す健全性チェック信号を送信する健全性チェック信号送信手段を設けるとともに、前記設備拠点の設備における状態変化信号を中継装置から受ける中央処理装置と独立して前記道路沿いネットワークに設けられた監視装置に前記中継装置の前記健全性チェック信号送信手段から送信される健全性チェック信号を受信し健全性チェックを行う健全性チェック監視手段を設けたことを特徴とする請求項１または請求項２に記載の道路管理システム。
【請求項５】
前記複数の設備拠点ネットワークおよび道路沿いネットワークを接続する複数の中継装置の少なくともいずれかに緊急指示手段を設け、前記緊急指示手段により、前記緊急指示手段が設けられた中継装置から前記複数の設備拠点ネットワークを同期接続する同期伝送路を介して所定の設備拠点の設備に対し緊急操作指令を与えることを特徴とする請求項２に記載の道路管理システム。
【請求項６】
前記複数の設備拠点にそれぞれ設けられた無線送信機を備え、前記複数の設備拠点ネットワークを同期接続する同期伝送路を介して位相同期信号を前記無線送信機に供給し、前記無線送信機における発信周波数の位相同期を行わせることを特徴とする請求項２に記載の道路管理システム。
【発明の詳細な説明】
【０００１】
【発明の属する技術分野】
この発明は、道路管理システム、特に、道路沿いの主機設備を監視制御するための道路管理システムに関するものである。
【０００２】
【従来の技術】
従来技術においては、中継装置が通報のための設定テーブルを持ち主機設備の監視状態の条件で、公衆網を経由して特定管理者に向けて通報する道路管理システムが提案されている（例えば、特許文献１参照）。
【０００３】
【特許文献１】
特開２０００−３１５２８９号公報
【０００４】
【発明が解決しようとする課題】
従来の道路管理システムはこのように構成されるため、中継装置が故障した場合、当該管轄の主機設備の監視制御ができなくなるうえ、普段、中継装置からの通報が無いため中継装置が故障すると気付くのに遅れる。また、電話網を経由して、第三者が中継装置に接続し誤って操作する可能性があるなどの問題があった。
【０００５】
この発明は、このような課題を解決するためになされたものであり、中継装置が故障した場合であっても他の中継装置でバックアップが可能な信頼性に優れた道路管理システムを得ようとするものである。
【０００６】
【課題を解決するための手段】
この発明に係わる道路管理システムは、複数の設備拠点ネットワークおよび道路沿いネットワークを接続する複数の中継装置とを備え、前記複数の中継装置に接続許可アドレスと入出力指令を定義した接続定義テーブルをそれぞれ具備し、前記中継装置のいずれかにおける障害時に障害が発生した中継装置の前記接続定義テーブルを他の中継装置に移すことで障害が発生した中継装置が管轄する監視制御を他の中継装置で代行するようにしたものである。
【０００７】
【発明の実施の形態】
実施の形態１．
この発明による実施の形態１を図１について説明する。図１は実施の形態１における構成を示すブロック図である。
【０００８】
図１は、この発明の実施の形態１の中継装置を、道路沿いの電気室に置く例として示したものである。
道路管理システムの管理対象である道路沿いに設備拠点としての複数の電気室１Ａ，１Ｂが配設されている。これら電気室１Ａ，１Ｂは、イーサネット（登録商標）規格によるネットワーク（以下、ＥＴＨネットワークという）で構成された道路沿いネットワーク１０２によって互いに結ばれている。
【０００９】
この道路沿いネットワーク１０２はネットワークケーブルＥＮＣを介し操作卓１０１により操作される。
設備拠点としての電気室１Ａ，１Ｂは、ＥＴＨネットワークを構成するネットワークケーブルＥＮＣを介し道路沿いネットワーク１０２に接続されている。
電気室１Ａは、中継装置１０３ａ，主機設備１０４ａ，１０４ｂおよび電気室ＥＴＨネットワーク１０５ａを備えている。
主機設備１０４ａには、ＩＰ端子台１０７ａおよび自家発電設備接点信号部１０８ａが設けられ、主機設備１０４ｂには、ＩＰ端子台１０７ｂおよび遮断器接点信号部１０８ｂが設けられている。
電気室１Ｂは、中継装置１０３ｂ，主機設備１０４ｃおよび電気室ＥＴＨネットワーク１０５ａを備えている。
主機設備１０４ｃには、ＩＰ端子台１０７ｃおよび地絡・短絡検知用継電器接点信号部１０８ｃが設けられている。
【００１０】
電気室１Ａ，電気室１Ｂには、それぞれ、ＭＡＣ（Ｍｅｄｉａ＿Ａｃｃｅｓｓ＿Ｃｏｎｔｒｏｌ）アドレスにより同期接続を確保するＭＡＣブリッジ１０６ａ，１０６ｂが設けられ、これらＭＡＣブリッジ１０６ａ，１０６ｂは同期伝送路で結ばれている。
そして、中継装置１０３ａには、接続許可ＭＡＣアドレスを有する操作定義テーブル１０９ａが設けられている。
【００１１】
中継装置１０３ａは操作定義テーブル１０９ａに登録された入力指令としての入力指示電文を読み出し電気室ＥＴＨネットワーク１０５ａを経由して主機設備１０４ａに入力指示電文を送る。
ＩＰ端子台１０７ａは入力指示電文に従って繋がれた接点信号部１０８ａの信号を読み取り、応答電文に乗せて中継装置１０３ａに返送する。
中継装置１０３ａでは応答電文の接点信号１０８ａの状態変化を見つけると道路沿いＥＴＨネットワーク１０２を経由して操作卓１０１に主機設備１０４ａの状態変化を通知する。
また、操作卓１０１から操作指示を受けた場合、中継装置１０３ａは操作定義テーブル１０９ａを参照し操作卓１０１のＭＡＣアドレスが接続許可されたものかチェックする。
接続許可されていれば操作指示に従った出力指示電文を読み出し主機設備１０４ａ，１０４ｂに送信する。
操作定義テーブル１０９ａには主機設備１０４ａ，１０４ｂに対する制御とタイマー時限等の応動結果判定条件が登録されており、中継装置１０３ａは操作定義テーブル１０９ａに従って操作卓１０１に制御結果を返送する。
【００１２】
以上のように、この発明による実施の形態１における道路管理システムでは、電気室ＥＴＨネットワーク１０５ａと１０５ＢをＭＡＣブリッジ１０６ａ，１０６ｂで結んでおき、中継装置１０３ａから操作定義テーブル１０９ａを中継装置１０３ｂに移すことで、中継装置１０３ｂは中継装置１０３ａのバックアップ動作をさせることが可能となる。
【００１３】
なお、この実施の形態では、隣接する電気室ＥＴＨネットワークをＭＡＣブリッジで結ぶ例で説明したが、道路沿いＥＴＨネットワーク側から迂回して、隣接する電気室ＥＴＨネットワークへ到達する等の構成としても良い。
【００１４】
この発明による実施の形態１によれば、道路沿いに設けられた電気室１Ａ，１Ｂからなる複数の設備拠点と、前記電気室１Ａ，１Ｂからなる設備拠点にそれぞれ設けられ前記電気室１Ａ，１Ｂからなる設備拠点の設備を監視制御するための電気室ＥＴＨネットワーク１０５ａ，１０５ｂからなる複数の設備拠点ネットワークと、前記電気室ＥＴＨネットワーク１０５ａ，１０５ｂからなる複数の設備拠点ネットワークを結ぶための道路沿いＥＴＨネットワーク１０２と、前記電気室ＥＴＨネットワーク１０５ａ，１０５ｂからなる複数の設備拠点ネットワークおよび道路沿いＥＴＨネットワークを接続する複数の中継装置１０３ａ，１０３ｂとを備え、前記電気室ＥＴＨネットワーク１０５ａ，１０５ｂからなる複数の設備拠点ネットワークをＭＡＣブリッジ１０６ａ，１０６ｂ間の同期伝送路により同期接続するとともに、前記複数の中継装置１０３ａ，１０３ｂに接続許可アドレスと入出力指令を定義した接続定義テーブル１０９ａ，１０９ｂをそれぞれ具備し、前記中継装置のいずれかにおける障害時に障害が発生した例えば中継装置１０３ａの前記接続定義テーブル１０９ａを他の中継装置１０３ｂに移すことで障害が発生した中継装置１０３ａが管轄する監視制御を他の中継装置１０３ｂで代行するようにしたので、中継装置が故障した場合であっても他の中継装置でバックアップが可能な信頼性に優れた道路管理システムを得ることができる。
【００１５】
実施の形態２．
この発明による実施の形態２を図２について説明する。図２は実施の形態２における構成を示すブロック図である。
この実施の形態２において、ここで説明する特有の構成以外の構成内容については、先に説明した実施の形態１における構成と同一の構成を具備し、同様の作用を奏するものである。図中、同一符号は同一または相当部分を示す。
【００１６】
図２は、この発明による実施の形態２におけるモバイル端末を道路沿いに敷設されたＥＴＨネットワークに接続する例として示したものである。
図において、モバイル端末１１１は、ＩＣカードリーダー１１２およびＩＣ認証カード１１３を具備している。
【００１７】
中継装置１０３ａの操作定義テーブル１０９ａに、モバイル端末１１１の接続許可ＭＡＣアドレスを登録しておく。
モバイル端末１１１には、ＩＣカードリーダー１１２を内蔵しておきＩＣ認証カード１１３を刺した状態でないと動作しないようにしておく。
【００１８】
以上のように、この発明による実施の形態２の道路管理システムによれば、道路沿いＥＴＨネットワーク１０２の任意の箇所にモバイル端末１１１を接続し、中継装置１０３ａを経由して主機設備１０７ａ，１０７ｂを監視制御することができる。
しかし、操作定義テーブル１０９ａに、接続許可ＭＡＣアドレスを登録していない第三者のパソコン等は主機設備１０７ａ，１０７ｂを監視制御することができない。
さらに、モバイル端末１１１が第三者によって道路沿いＥＴＨネットワーク１０２に接続されたとしても、特定管理者が保有するＩＣ認証カード１１３を持っていなければ主機設備１０７ａ，１０７ｂを監視制御することができない。
【００１９】
この発明による実施の形態２によれば、実施の形態１における構成において、ＩＣ認証カード１１３による認証手段を有するモバイル端末１１１からなる移動端末手段を前記中継装置に接続許可アドレスとして登録することで、前記ＩＣ認証カード１１３を保有し前記認証手段についての認証を保有する特定管理者のみ前記モバイル端末１１１からなる移動端末手段から前記電気室１Ａ，１Ｂからなる設備拠点に係る監視制御を可能としたので、中継装置が故障した場合であっても他の中継装置でバックアップが可能な信頼性に優れたものとすることができるとともに、無権限操作による不当な監視制御を的確に阻止できる道路管理システムを得ることができる。
【００２０】
実施の形態３．
この発明による実施の形態３を図３について説明する。図３は実施の形態３における構成を示すブロック図である。
この実施の形態３において、ここで説明する特有の構成以外の構成内容については、先に説明した実施の形態１または実施の形態２における構成と同一の構成を具備し、同様の作用を奏するものである。図中、同一符号は同一または相当部分を示す。
【００２１】
図３は、この発明による実施の形態３における中央処理装置と監視装置を道路沿いに敷設されたネットワークに接続する例として示したものである。
中央処理装置１２１は、１２２は状態変化受信機能を持つ状態変化受信手段１２２を有する。監視装置１２３は、中央処理装置１２１と独立に設けられ、ヘルスチェック監視機能を持つ健全性監視手段１２４を有している。
中継装置１０３ａ，１０３ｂには、状態変化通知機能を持つ状態変化通知手段１２５ａ，１２５、および、ヘルスチェック送信機能を持つ健全性チェック送信手段１２６ａ，１２６ｂが設けられている。
【００２２】
中継装置１０３ａ，１０３ｂでは、主機設備１０４ａ，１０４ｃの状態を監視し、状態変化を検出した場合、状態変化通知機能部１２５ａ，１２５ｂから中央処理装置１２１の状態変化受信機能１２２に通知する。
中継装置１０３ａ，１０３ｂのヘルスチェック送信機能部１２６ａ，１２６ｂは、監視装置１２３のヘルスチェック監視機能部１２４に対し自装置が健全であることを示すヘルスチェック電文を一定周期毎に送出する。
監視装置１２３のヘルスチェック監視機能部１２４では一定周期毎にヘルスチェック電文を受信することで中継装置１０３ａ，１０３ｂが正常であることを認識する。
ヘルスチェック電文が途絶えたことを認識したヘルスチェック監視機能部１２４は中央処理装置１２１の状態変化受信機能部１２２に、当該の中継装置１０３ａ，１０３ｂの異常を通知する。
【００２３】
以上のように、この発明の実施の形態３の道路管理システムによれば、中央処理装置は中継装置の状態変化で電文を受け取るだけで良く、効率的な主機設備の状態変化が検出できる。
監視装置では各中継装置からのヘルスチェック電文が来なくなることだけを検知するように単機能化されるので１台の監視装置でまとめて多数の中継装置を監視制御することができる。
【００２４】
この発明による実施の形態３によれば、実施の形態１における構成において、前記中継装置１０３ａ，１０３ｂに中継装置１０３ａ，１０３ｂが健全であることを示すヘルスチェック信号からなる健全性チェック信号を送信するヘルスチェック信号送信機能部１２６ａ，１２６ｂからなる健全性チェック信号送信手段を設けるとともに、状態変化受信機能部１２２を有し前記電気室１Ａ，１Ｂからなる設備拠点の主機設備１０４ａ，１０４ｂ，１０４ｃにおける状態変化信号を中継装置１０３ａ，１０３ｂから受ける中央処理装置１２１と独立して前記道路沿いＥＴＨネットワーク１０２に設けられた監視装置１２３に前記中継装置１０３ａ，１０３ｂの前記ヘルスチェック信号送信機能部１２６ａ，１２６ｂからなる健全性チェック信号送信手段から送信されるヘルスチェック信号からなる健全性チェック信号を受信し健全性チェックを行うヘルスチェック監視機能部１２４からなる健全性チェック監視手段を設けたので、中継装置が故障した場合であっても他の中継装置でバックアップが可能な信頼性に優れたものとすることができるとともに、中継装置の健全性チェックを効率的に行える道路管理システムを得ることができる。
【００２５】
実施の形態４．
この発明による実施の形態４を図４について説明する。図４は実施の形態４における構成を示すブロック図である。
この実施の形態３において、ここで説明する特有の構成以外の構成内容については、先に説明した実施の形態１ないし実施の形態３における構成と同一の構成を具備し、同様の作用を奏するものである。図中、同一符号は同一または相当部分を示す。
【００２６】
図４は、この発明の実施の形態４の緊急指示機能を中継装置に実装した例として示したものである。
図において、中継装置１０３ｂには、緊急指示機能部１３１および操作定義テーブルが設けられている。自家発電機からなる主機設備１０４ａには自家発電機の運転動作状態を示す接点新郷部１０８ａが設けられ、遮断器からなる主機設備１０４ｂには遮断器の開閉動作状態を示す接点信号部１０８ｂが設けられ、地絡・短絡検知器からなる主機設備１０４ｃには地絡・短絡検知用接点信号部１０８ｃが設けられている。
【００２７】
主機設備１０４ｃとしての地絡・短絡検知器からの監視用接点信号部１０８ｃによる信号が変化すると中継装置１０３ｂは地絡・短絡が発生したことを検出する。
操作定義テーブル１０９ｂには地絡・短絡が発生したとき主機設備１０４ｂとしての遮断器の遮断操作が定義されている。
緊急指示機能を持つ緊急指示手段１３１は操作定義テーブル１０９ｂにある出力指示電文を読み出し、ＭＡＣブリッジ１０６ａ，１０６ｂ間の同期伝送路を介して、ＩＰ端子台１０７ｂに対し送出することで離れた電気室１Ａにある主機設備１０４ｂとしての遮断器に対し遮断操作を行う。
【００２８】
以上のように、この発明による実施の形態４における道路管理システムでは、中継装置で主機設備の状態変化を判断し離れた電気室にある主機設備を電気室ＥＴＨネットワークに直接制御操作の出力指示電文を送出する。
したがって、操作卓１０１の監視制御操作より優先的に処理されることになり、地絡・短絡が発生から遮断までの動作時間を保証することができる。このため、ダウントランス等の焼損を防ぐための保護回路を簡略化することができる。
【００２９】
この発明による実施の形態４によれば、実施の形態１における構成において、前記複数の設備拠点ネットワークおよび道路沿いネットワークを接続する複数の中継装置１０３ａ，１０３ｂの少なくともいずれかに緊急指示機能部１３１からなる緊急指示手段を設け、前記緊急指示機能部１３１からなる緊急指示手段により、前記緊急指示機能部１３１からなる緊急指示手段が設けられた中継装置１０３ｂから前記電気室ＥＴＨネットワーク１０５ａ，１０５ｂからなる複数の設備拠点ネットワークを同期接続するＭＡＣブリッジ１０６ａ，１０６ｂ間の同期伝送路を介して電気室１Ａからなる所定の設備拠点における主機設備としての遮断器１０４ｂに対し遮断指令等の緊急操作指令を与えるようにしたので、中継装置が故障した場合であっても他の中継装置でバックアップが可能な信頼性に優れたものとすることができるとともに、所定の設備に対する緊急操作を迅速かつ的確に行える道路管理システムを得ることができる。
【００３０】
実施の形態５．
この発明による実施の形態５を図５について説明する。図５は実施の形態５における構成を示すブロック図である。
この実施の形態５において、ここで説明する特有の構成以外の構成内容については、先に説明した実施の形態１ないし実施の形態５における構成と同一の構成を具備し、同様の作用を奏するものである。図中、同一符号は同一または相当部分を示す。
【００３１】
図５は、この発明の実施の形態５の道路管理システムでＭＡＣブリッジから同期信号を取り出し音声と電波の位相を同期させる例として示したものである。
図において、主機設備１０４ａ，１０ｂには、ＩＰ音声化回路１４１ａ，１４１ｂ、および、無線送信機１４２ａ，１４２ｂがそれぞれ設けられている。
これらＩＰ音声化回路１４１ａ，１４１ｂ、および、無線送信機１４２ａ，１４２ｂは、ＭＡＣブリッジ１０６ａ，１０６ｂ間の同期伝送路を介して互いに接続され、共通の位相同期信号が供給される。
【００３２】
電気室ＥＴＨネットワーク１０５ａと１０６ｂを結ぶＭＡＣブリッジ１０６ａと１０６ｂは同期伝送路で結ばれるが、同期伝送路の同期クロックを分周した信号をＩＰ音声化回路１４１ａ，１４１ｂに入力し、音声データの乗ったイーサパケットの同期をとって音声信号にする。
また、同期伝送路の同期クロックを分周した信号を無線送信機１４２ａ，１４２ｂに入れることで発信周波数の位相同期を合わせる。
【００３３】
以上のように、この発明の実施の形態５の道路管理システムによれば、離れた無線送信機から送信される放送の音声と電波の位相を合わせることができ混信のない無線送信機アレイを道路沿いに作ることができる。
【００３４】
この発明による実施の形態５によれば、実施の形態１における構成において、前記電気室１Ａ，１Ｂからなる複数の設備拠点にそれぞれ設けられた無線送信機１４２ａ，１４２ｂを備え、前記電気室ＥＴＨネットワーク１０５ａ，１０５ｂからなる複数の設備拠点ネットワークを同期接続するＭＡＣブリッジ１０６ａ，１０６ｂ間の同期伝送路を介して位相同期信号を前記無線送信機１４２ａ，１４２ｂに供給し、前記無線送信機１４２ａ，１４２ｂにおける発信周波数の位相同期を行わせるようにしたので、中継装置が故障した場合であっても他の中継装置でバックアップが可能な信頼性に優れたものとすることができるとともに、複数の設備拠点に設けられた無線送信機における発信周波数の同期保持を的確に行える道路管理システムを得ることができる。
【００３５】
以上のように、この発明による実施の形態における道路管理システムによれば、離れた電気室の中継装置間でバックアップでき、故障した中継装置を即座に検出でき、特定管理者のみ遠隔地より主機設備の操作が可能である。また、離れた電気室間で動作時間を保証した緊急制御を行うことができる。また、緊急を要する制御信号や同期精度を要する伝送信号に対してもＥＴＨネットワークにて伝送可能となる。
【００３６】
【発明の効果】
この発明によれば、中継装置が故障した場合であっても他の中継装置でバックアップが可能な信頼性に優れた道路管理システムを得ることができる。
【図面の簡単な説明】
【図１】この発明の実施の形態１の道路管理システムの構成を示すブロック図である。
【図２】この発明の実施の形態２の道路管理システムの構成を示すブロック図である。
【図３】この発明の実施の形態３の道路管理システムの構成を示すブロック図である。
【図４】この発明の実施の形態４の道路管理システムの構成を示すブロック図である。
【図５】この発明の実施の形態５の道路管理システムの構成を示すブロック図である。
【符号の説明】
１０１  操作卓、１０２  道路沿いＥＴＨネットワーク、ＥＮＣ  ＥＴＨネットワークケーブル、１０３ａ，１０３ｂ  中継装置、１０４ａ〜１０４ｃ  主機設備、１０５ａ，１０５ｂ  電気室ＥＴＨネットワーク、１０６ａ，１０６ｂ  ＭＡＣブリッジ、１０７ａ〜１０７ｃ  ＩＰ端子台、１０９ａ，１０９ｂ  操作定義テーブル、１１１  モバイル端末、１１２  ＩＣカードリーダー、１１３  ＩＣ認証カード、１２１  中央処理装置、１２２  状態変化受信機能部、１２３監視装置、１２４  ヘルスチェック監視機能部、１３１  緊急指示機能部、１４１ａ，１４１ｂ  ＩＰ音声化回路、１４２ａ，１４２ｂ  無線送信機。
【図１】
2004171418.tif 000003
【図２】
2004171418.tif 000004
【図３】
2004171418.tif 000005
【図４】
2004171418.tif 000006
【図５】
2004171418.tif 000007